(57)【要約】【課題】乾きむらや過乾燥を低減する乾燥性能を備えたドラム式洗濯乾燥機を実現する。【解決手段】水槽２内に回転可能に設けた回転ドラム３と、水槽２上方の吸気ダクト９と、送風を加熱除湿する加熱除湿手段１１および送風ファン１０と、送風ファン１０に連通する温風吹き出し口７と、回転ドラム３の回転角度を検知する回転角度検知手段６と、回転角度検知手段６に回転ドラム３を所定の位置で拘束停止せしめる制御手段１２とを備え、制御手段１２は乾燥行程において、回転ドラム３を所定のサイクルで停止し、回転角度検知手段６よって、停止時の回転ドラムの最下点が温風吹き出し口７へ位置するまで回転ドラム３を回転し、かつ所定の時間拘束停止するようにしたもので、乾きむらの衣類を温風吹き出し口７の正面へ移動させて乾燥するので、乾きむらや過乾燥を無くし、信頼性の高いドラム式洗濯乾燥機を提供する。【選択図】図１
2010184005.tif 000002
【特許請求の範囲】
【請求項１】
外箱内に収められた水槽と、前記水槽内に回転可能に設けた回転ドラムと、前記水槽上方に構成した吸気ダクトと、前記吸気ダクトに連通する加熱除湿手段および送風手段と、前記送風手段に連通して前記水槽後方上部に設けられ前記回転ドラム内方を指向した温風吹き出し口と、前記回転ドラムの回転角度を検知する回転角度検知手段と、前記水槽の振幅量を検知する振動検知手段と、乾燥行程一連のシーケンスを実行するとともに、前記回転角度検知手段によって前記回転ドラムを所定の位置で停止せしめる制御手段とを備え、前記制御手段は、乾燥行程において、前記回転ドラムを所定のサイクルで停止し、前記回転角度検知手段によって、停止時の前記回転ドラムの最下点が前記温風吹き出し口へ位置するまで前記回転ドラムを回転し、かつ所定の時間拘束停止するように制御したドラム式洗濯乾燥機。
【請求項２】
制御手段は、振動検知手段により検知した水槽の振幅量に応じて、回転ドラム停止時の前記回転ドラムの最下点を温風吹き出し口まで移動させた後の、前記回転ドラムの拘束停止時間を変化させる制御をした請求項１記載のドラム式洗濯乾燥機。
【請求項３】
制御手段は、回転角度検知手段によって回転ドラムの最下点を温風吹き出し口まで移動させた後、前記温風吹き出し口のセンターを中心に約４５度以下の角度で前記回転ドラムを遥動させる制御をした請求項１または２に記載のドラム式洗濯乾燥機。
【発明の詳細な説明】
【技術分野】
【０００１】
本発明は乾燥機能を備えたドラム式洗濯乾燥機に関するものである。
【背景技術】
【０００２】
従来、ドラム式洗濯乾燥機の乾燥行程における回転ドラムの動きは、複数の衣類のそれぞれの乾き度合いに関係なく、あらかじめ設定された所定のアルゴリズムに従って制御されていた（例えば、特許文献１参照）。
【０００３】
図５は、特許文献１に記載された従来の洗濯乾燥機の構成を示すものである。図５に示すように、外周壁に多数の水抜き穴１０１を形成した有底円筒状の回転ドラム１０２は、水槽１０３内に回転自在に配される。洗濯、すすぎ、脱水行程後に乾燥行程に入ると、水槽１０２の上方に構成した吸気ダクト１０４より回転ドラム１０２内方の湿った空気を吸気し、送風ファン１０５にてヒータ１０６で加熱乾燥した温風を、水槽側方の温風吹き出し口１０７より水槽１０３および回転ドラム１０２内方に送風して内部の衣類を乾燥させる。
【特許文献１】特開２００４−３４４３７３号公報
【発明の開示】
【発明が解決しようとする課題】
【０００４】
しかしながら、前記従来の構成では、乾燥行程における回転ドラムの制御では衣類が高容量になると、衣類同士のからみや、特に乾燥終盤での回転ドラム内で衣類の乾燥による膨れ上がりにより、回転ドラム内での攪拌が十分行われなくなり、温風が乾いた衣類に遮られる為、まだ湿っている衣類に十分に温風が暴露されないという現象が起こり、未乾燥を生じる事があった。
【０００５】
さらに、温風吹き出し口は、洗濯水や洗濯時の泡などの乾燥経路への浸入の問題で、できるだけ水槽上部に設けなければならないといった構成上の制約もあり、未乾燥の重たい衣類が回転ドラムの下方に位置し、逆にすでに乾いている軽い衣類が上方に位置して、温風に暴露し続けるために、過乾燥により衣類が傷んでしまうという課題があった。
【０００６】
本発明は、前記従来の課題を解決するもので、乾きむらや過乾燥を解消し、効率的に衣類が乾燥する信頼性の高いドラム式洗濯乾燥機を提供することを目的としている。
【課題を解決するための手段】
【０００７】
前記従来の課題を解決するために、外箱内に収められた水槽と、前記水槽内に回転可能に設けた回転ドラムと、前記水槽上方に構成した吸気ダクトと、前記吸気ダクトに連通する加熱除湿手段および送風手段と、前記送風手段に連通して前記水槽後方上部に設けられ前記回転ドラム内方を指向した温風吹き出し口と、前記回転ドラムの回転角度を検知する回転角度検知手段と、前記水槽の振幅量を検知する振動検知手段と、乾燥行程一連のシーケンスを実行するとともに、前記回転角度検知手段によって前記回転ドラムを所定の位置で停止せしめる制御手段とを備え、前記制御手段は、乾燥行程において、前記回転ドラムを所定のサイクルで停止し、前記回転角度検知手段によって、停止時の前記回転ドラムの最下点が前記温風吹き出し口へ位置するまで前記回転ドラムを回転し、かつ所定の時間拘束停止するように制御したものである。
【０００８】
これにより、乾きむらの衣類を温風吹き出し口の正面へ移動させて乾燥するので、乾きむらや過乾燥を解消し、効率的に衣類が乾燥する信頼性の高いドラム式洗濯乾燥機を提供
することができる。
【発明の効果】
【０００９】
本発明のドラム式洗濯乾燥機は、乾きむらの無い、信頼性の高いドラム式洗濯乾燥機を提供することができる。
【発明を実施するための最良の形態】
【００１０】
第１の発明は、外箱内に収められた水槽と、前記水槽内に回転可能に設けた回転ドラムと、前記水槽上方に構成した吸気ダクトと、前記吸気ダクトに連通する加熱除湿手段および送風手段と、前記送風手段に連通して前記水槽後方上部に設けられ前記回転ドラム内方を指向した温風吹き出し口と、前記回転ドラムの回転角度を検知する回転角度検知手段と、前記水槽の振幅量を検知する振動検知手段と、乾燥行程一連のシーケンスを実行するとともに、前記回転角度検知手段によって前記回転ドラムを所定の位置で停止せしめる制御手段とを備え、前記制御手段は、乾燥行程において、前記回転ドラムを所定のサイクルで停止し、前記回転角度検知手段によって、停止時の前記回転ドラムの最下点が前記温風吹き出し口へ位置するまで前記回転ドラムを回転し、かつ所定の時間拘束停止するように制御したことにより、選択的に温風を乾きむらに暴露することができ、効率的に衣類が乾燥する信頼性の高いドラム式洗濯乾燥機を提供することすることができる。
【００１１】
第２の発明は、特に、第１の発明の制御手段は、振動検知手段により検知した水槽の振幅量に応じて、回転ドラム停止時の前記回転ドラムの最下点を温風吹き出し口まで移動させた後の、前記回転ドラムの拘束停止時間を変化させる制御をしたことにより、水槽の振幅量が大きい場合は乾きむらの大きい場合として、乾燥時間の設定を長くなるように変化させることにより乾きむらの衣類の乾燥不足を解消することができる。
【００１２】
第３の発明は、特に、第１または第２の発明の制御手段は、回転角度検知手段によって回転ドラムの最下点を温風吹き出し口まで移動させた後、前記温風吹き出し口のセンターを中心に約４５度以下の角度で前記回転ドラムを遥動させる制御をしたことにより、衣類同士の間に隙間を作り温風と乾きむらとの接触面積を増加することにより、乾燥効率を高めることができる。
【００１３】
以下、本発明の実施の形態について、図面を参照しながら説明する。なお、従来例と同じ構成のものは同一符号を付して説明を省略する。また、この実施の形態によって本発明が限定されるものではない。
【００１４】
（実施の形態１）
以下本発明の一実施例として図１及び図２を参照しながら説明する。図１は、本発明の第１の実施の形態におけるドラム式洗濯乾燥機の構成図であり、図２は、同ドラム式洗濯乾燥機の動作図である。
【００１５】
図１において、ドラム式洗濯乾燥機の外箱１内に、上方より防振バネ１３と下方より減衰ダンパー１４にて揺動自在に収められた水槽２を配し、前記水槽２内に回転ドラム３を回転自在に軸支する。
【００１６】
回転ドラム３は、水槽２の外側部に固定されたモータ５にて駆動軸４を介して回転駆動され、前記駆動モータ５に取り付けられたホール素子などの回転ドラム３の回転角度検知手段６により、回転数を検知しそのデータは制御手段１２にインプットされると共に、制御手段１２は、回転角度検知手段６によって得られたデータに基づいて回転ドラム３を所定の位置で拘束停止する。
【００１７】
また、洗濯、すすぎ、脱水等の行程後に乾燥行程に入ると、回転ドラム３内方の水分を含んだ空気は、水槽２の上方に構成した吸気ダクト９より吸気され、加熱除湿手段であるヒートポンプ１１および送風ファン１０により加熱除湿され、水槽２の後方上方内に連通するように設けられた温風吹き出し口７より乾燥温風を回転ドラム３内方に送り込む乾燥経路により回転ドラム内方の衣類の乾燥行程の一連のシーケンスが実行される。
【００１８】
乾燥行程の乾燥終盤になると、回転ドラム３内の衣類が乾燥すると膨れ上がり、攪拌するスペースが回転ドラム３内に十分確保できなくなり、この状態で温風の暴露の陰になる部分などは、乾燥が遅れて乾きむら１５となる。このような乾きむら１５を解消するために以下の図２に記す制御を実行する。
【００１９】
図２において、乾燥終盤における回転ドラム３内の衣類の状態を正面から見た図であり、図２（ａ）は回転ドラム３を自然停止した場合の状態を表し、水分をより多く含んで乾きむら１５となった重たい衣類は慣性モーメントとして働き、自重によって最下点まで回転ドラム３を回転させて停止する傾向がある。
【００２０】
次に、図２（ｂ）は、図１で表した回転角度検知手段６が、回転ドラム３の最下点から温風吹き出し口７の位置までの角度θを検知するまで回転ドラム３を回転させて、拘束停止した状態を示し、乾きむら１５を温風吹き出し口７の正面近傍へ移動させた状態の図であり、これにより乾きむら１５に集中して温風吹き出し口７からの温風を、第１の所定拘束停止時間暴露して、効率的に乾燥を促進することができる。
【００２１】
（実施の形態２）
図３は、本発明の第２の実施の形態におけるドラム式洗濯乾燥機の動作図である。
【００２２】
図３において、乾燥行程で回転ドラム３を、衣類がドラム３内壁に張り付く回転数（例えば８０ｒｐｍ）で回転した時の状態を表している。
【００２３】
乾燥終盤における乾きむら１５は、他の衣類より多量の水分を含んでいるため、回転ドラム３回転時のアンバランスとなり防振バネ１３及びダンパー１４で揺動自在に弾性支持された水槽２を振動させる。
【００２４】
乾きむら１５が多い場合すなわち重い場合は、アンバランス量が大きくなり、したがって水槽２の振幅量Ｈも大きくなる。このとき生ずる水槽２の振幅量Ｈを振動検知１６によって測定し、振幅量Ｈの大きさに応じて温風吹き出し口７位置での回転ドラム３の拘束停止時間を変化させる。たとえば振幅量Ｈが大きい場合は、乾きむら１５が多いと判断し、第１の実施例における温風吹き出し口７の位置での乾きむら１５の第１の所定拘束停止時間より、長く設定するものである。これによって、乾燥時間の設定をかえることにより乾きむらの衣類の乾燥不足を解消する。
【００２５】
（実施の形態３）
図４は、本発明の第３の実施の形態におけるドラム式洗濯乾燥機の動作図である。
【００２６】
図４において、第１の実施例において、乾きむら１５を温風吹き出し口７位置近傍で拘束停止させているとき、温風吹き出し口のセンターを中心に回転ドラム３を所定の角度Δ揺動回転させることによって、衣類同士の間に隙間Ｋを構成させて、温風と乾きむら１５との接触面積を広めることにより、効果的に温風を乾きむら１５に暴露することができる。
【産業上の利用可能性】
【００２７】
以上のように、本発明にかかるドラム式洗濯乾燥機は、効率的に乾きむらや乾きすぎを低減することができ、省エネ、信頼性を向上させることが可能となるので、高い乾燥性能を備えたドラム式洗濯乾燥機等として有用である。
【図面の簡単な説明】
【００２８】
【図１】本発明の実施の形態１におけるドラム式洗濯乾燥機の構成図
【図２】（ａ）同ドラム式洗濯乾燥機の回転ドラムを自然停止した場合の状態図（ｂ）回転ドラムを回転させて拘束停止した場合の状態図
【図３】本発明の実施の形態２におけるドラム式洗濯乾燥機の動作図
【図４】本発明の実施の形態３におけるドラム式洗濯乾燥機の動作図
【図５】従来の洗濯乾燥機の構成図
【符号の説明】
【００２９】
１  外箱
２  水槽
３  回転ドラム
５  モータ
６  回転角度検知手段
７  温風吹き出し口
９  吸気ダクト
１０  送風ファン
１１  加熱除湿手段（ヒートポンプ）
１２  制御手段
１５  乾きむら
１６  振動検知手段
【図１】
2010184005.tif 000003
【図５】
2010184005.tif 000004
【図２】
2010184005.tif 000005
【図３】
2010184005.tif 000006
【図４】
2010184005.tif 000007